(57)【特許請求の範囲】
【請求項１】
映像処理システムにおけるプログレッシブ映像をインタレース映像に変換する映像変換方法であって、
プログレッシブ映像をインタレース映像に変換するために使用されるフレームの個数を１個又は２個のうちいずれか１つに決定するステップと、
前記決定された個数が１個である場合、前記プログレッシブ映像を構成する１つのフレームに対する補間を遂行して相対的にサイズが大きい１個の補間映像を生成するステップと、
前記決定された個数が２個である場合、前記プログレッシブ映像を構成する２つのフレーム各々に対する補間を遂行して相対的にサイズが大きい２個の補間映像を生成するステップと、
前記生成した１個の補間映像又は前記生成した２個の補間映像を用いて生成したトップフィールド及びボトムフィールドにより前記インタレース映像を構成するステップと、
を有することを特徴とする映像変換方法。
【請求項２】
前記フレームの個数は、原映像の特性に従って決定され、
前記原映像の特性は、前記原映像の動き及び複雑性のうち少なくとも１つを含む、
ことを特徴とする請求項１に記載の映像変換方法。
【請求項３】
前記決定されたフレームの個数は、前記原映像が小さな動きを有するか又は単純な場合に１個であり、前記原映像が大きな動きを有するか又は複雑な場合に２個である、
ことを特徴とする請求項２に記載の映像変換方法。
【請求項４】
前記トップフィールド及び前記ボトムフィールドの中のいずれか１つである任意のフィールドは、対応する１つのフレームと同一の時間に位置し、前記任意のフィールド以外の残りのフィールドは、前記対応する１つのフレームとは異なる時間に位置することを特徴とする請求項１に記載の映像変換方法。
【請求項５】
前記決定された個数が２個である場合、
前記２個の補間映像を生成するステップは、第１のフレームに応じて第１のプログレッシブ映像に対する第１の補間映像を生成し、かつ、第２のフレームに応じて第２のプログレッシブ映像に対する第２の補間映像を生成し、
前記インタレース映像を構成するステップは、前記第１および前記第２のフレームに応じた前記第１および前記第２の補間映像を用いて、第１および第２のトップフィールドに応じて第１および第２のインタレース映像にそれぞれ変換し、かつ、前記第１および前記第２のフレームに応じた前記第１および前記第２の補間映像を用いて、ボトムフィールドに応じて第３のインタレース映像に変換する、
ことを特徴とする請求項１に記載の映像変換方法。
【請求項６】
前記２個の補間映像を生成するステップと前記インタレース映像を構成するステップとが同時に実行される、
ことを特徴とする請求項５に記載の映像変換方法。
【請求項７】
前記トップフィールド及び前記ボトムフィールドの中のいずれか１つである任意のフィールドは、対応する１つのフレームと同一の時間に位置し、前記任意のフィールド以外の残りのフィールドは、前記対応する１つのフレームとは異なる時間に位置する、
ことを特徴とする請求項６に記載の映像変換方法。
【請求項８】
映像処理システムにおけるプログレッシブ映像をインタレース映像に変換する映像変換装置であって、
プログレッシブ映像をインタレース映像に変換するために使用されるフレームの個数を１個又は２個のうちいずれか１つに決定する制御部と、
前記決定されたフレームの個数が１個である場合、前記プログレッシブ映像を構成する１つのフレームに対する補間を遂行して相対的にサイズが大きい１個の補間映像を生成し、前記決定された個数が２個である場合、前記プログレッシブ映像を構成する２つのフレーム各々に対する補間を遂行して相対的にサイズが大きい２個の補間映像を生成し、前記生成した１個の補間映像又は前記生成した２個の補間映像を用いて生成したトップフィールド及びボトムフィールドにより前記インタレース映像を構成する変換部と
を有することを特徴とする映像変換装置。
【請求項９】
前記フレームの個数は、原映像の特性に従って決定され、
前記原映像の特性は、前記原映像の動き及び複雑性の中の少なくとも１つを含む、
ことを特徴とする請求項８に記載の映像変換装置。
【請求項１０】
前記決定されたフレームの個数は、前記原映像が小さな動きを有するか又は単純な場合に１個であり、前記原映像が大きな動きを有するか又は複雑な場合に２個である、
ことを特徴とする請求項９に記載の映像変換装置。
【請求項１１】
前記トップフィールド及び前記ボトムフィールドの中のいずれか１つである任意のフィールドは、対応する１つのフレームと同一の時間に位置し、前記任意のフィールド以外の残りのフィールドは、前記対応する１つのフレームとは異なる時間に位置する、
ことを特徴とする請求項８に記載の映像変換装置。
【請求項１２】
前記決定された個数が２個である場合、
前記変換部は、第１のフレームに応じて第１のプログレッシブ映像に対する第１の補間映像を生成し、かつ、第２のフレームに応じて第２のプログレッシブ映像に対する第２の補間映像を生成し、
前記変換部は、前記第１および前記第２のフレームに応じた前記第１および前記第２の補間映像を用いて、第１および第２のトップフィールドに応じて第１および第２のインタレース映像にそれぞれ変換し、かつ、前記第１および前記第２のフレームに応じた前記第１および前記第２の補間映像を用いて、ボトムフィールドに応じて第３のインタレース映像に変換する、
ことを特徴とする請求項８に記載の映像変換装置。
【請求項１３】
前記変換部は、前記２個の補間映像を生成する動作と前記インタレース映像を構成する動作とを同時に実行する、
ことを特徴とする請求項１２に記載の映像変換装置。
【請求項１４】
前記トップフィールド及び前記ボトムフィールドの中のいずれか１つである任意のフィールドは、対応する１つのフレームと同一の時間に位置し、前記任意のフィールド以外の残りのフィールドは、前記対応する１つのフレームとは異なる時間に位置する、
ことを特徴とする請求項１３に記載の映像変換装置。
【発明の詳細な説明】
【技術分野】
【０００１】
本発明は、映像処理システムに関し、特に、映像処理システムにおいてプログレッシブ映像をインタレース映像に変換するための装置及び方法に関する。
【背景技術】
【０００２】
一般的に、デジタル映像を実現する方式は、フレームの構成方法に従ってインタレース方式及びプログレッシブ方式に区分される。
【０００３】
このインタレース方式は、２フィールドを各ラインごとに順次に実現した後に、２フィールドを各ラインごとにインタレースすることにより１つのフレームを構成する。すなわち、インタレース方式は、１つのフィールド（すなわち、トップフィールド）には奇数ラインだけスキャンし、他のフィールド（すなわち、ボトムフィールド）には偶数ラインだけスキャンした後に、２フィールドを用いて１つのフレームを実現する。したがって、各フィールドの高さは、インタレース方式でフレーム高さの半分である。このインタレース方式は、ハイビジョン（ＨＤＴＶ）で低い周波数でも１９２０＊１２８０のような高解像度の画面を実現するために使用されるが、画面ちらつきがひどい。
【０００４】
一方、このプログレッシブ方式は、各ラインごとに順次に映像をスキャンすることにより１つのフレームを構成する。このプログレッシブ方式は、コンピュータモニタ、デジタルＴＶなどで１２８０＊７２０のような低解像度の画面を実現するために使用され、インタレース方式に比べて画面ちらつきが減少する。
【０００５】
したがって、フレーム構成方法に従ってプログレッシブ方式でスキャンされたプログレッシブ映像及びインタレース方式でスキャンされたインタレース映像の両方を同時に処理することができる映像処理システムにおいて、プログレッシブ映像を受信して、該プログレッシブ映像をインタレース映像に変換する装置及び方法を提案する。
【発明の概要】
【発明が解決しようとする課題】
【０００６】
そこで、本発明は上記従来の問題点に鑑みてなされたものであって、本発明の目的は、映像処理システムにおいてプログレッシブ映像をインタレース映像に変換する映像変換装置及び方法を提供することにある。
【０００７】
本発明の他の目的は、映像処理システムにおいて低解像度映像を高解像度映像に変換する映像変換装置及び方法を提供することにある。
【０００８】
本発明のまた他の目的は、映像処理システムにおいて残像の画素値を最小にするようにプログレッシブ映像をインタレース映像に変換する映像変換装置及び方法を提供することにある。
【課題を解決するための手段】
【０００９】
上記のような目的を達成するために、本発明は、映像処理システムにおけるプログレッシブ映像をインタレース映像に変換する新規な映像変換方法を提供する。上記方法は、プログレッシブ映像をインタレース映像に変換するために使用されるフレームの個数を決定するステップと、上記決定されたフレームの個数に従って上記プログレッシブ映像に対する補間映像を生成し、上記補間映像を用いて上記プログレッシブ映像を上記インタレース映像に変換するステップとを有することを特徴とする。
【００１０】
本発明はまた、映像処理システムにおけるプログレッシブ映像をインタレース映像に変換する映像変換装置を提供する。上記装置は、プログレッシブ映像をインタレース映像に変換するために使用されるフレームの個数を決定する制御部と、上記決定されたフレームの個数に従って上記プログレッシブ映像に対する補間映像を生成し、上記補間映像を用いて上記インタレース映像に変換する変換部とを有することを特徴とする。
【発明の効果】
【００１１】
本発明によれば、複数の低解像度フレームに対応するプログレッシブ映像を用いて高解像度フィールドに対応するインタレース映像を生成することにより、原映像の特性(例えば、動き）を効率的に表現することができる。
【００１２】
また、本発明によれば、プログレッシブ映像に対して補間及びインタレース映像への変換を同時に実行することにより、残像の画素値を最小にすることができ、したがって、映像処理システムの圧縮効率を増加させることができる。
【図面の簡単な説明】
【００１３】
【図１】本発明の実施形態による階層映像処理システムのアーキテクチャを示す概略図である。
【図２】本発明の実施形態による映像変換装置の構成を示す概略図である。
【図３】本発明の実施形態による変換部でプログレッシブ映像に関連した１つの低解像度フレームを用いて映像を変換する装置の構成を示す概略図である。
【図４】本発明の実施形態による変換部でプログレッシブ映像に関連した１つの低解像度フレームを用いて映像を変換する方法の一例を示す図である。
【図５】本発明の実施形態による変換部でプログレッシブ映像に関連した２つの低解像度フレームを用いて映像を変換する装置の構成を示す概略図である。
【図６】本発明の実施形態による変換部でプログレッシブ映像に関連した２つの低解像度フレームを用いて映像を変換する方法の一例を示す図である。
【図７】本発明の実施形態による映像を変換する方法を示すフローチャートである。
【発明を実施するための形態】
【００１４】
添付の図面を参照した下記の説明は、特許請求の範囲の記載及びこれと均等なものの範囲内で定められるような本発明の実施形態の包括的な理解を助けるために提供するものであり、この理解を助けるための様々な特定の詳細を含むが、単に例示に過ぎない。従って、本発明の範囲及び趣旨を逸脱することなく、ここに説明する実施形態の様々な変更及び修正が可能であるということは、当該技術分野における通常の知識を有する者には明らかである。また、明瞭性と簡潔性の観点から、当業者に良く知られている機能や構成に関する具体的な説明は、省略する。
【００１５】
まず、本明細書では、プログレッシブ映像及びインタレース映像を同時に処理する映像処理システムの一例として階層映像処理システムを参照して説明する。しかしながら、発明の概念は、プログレッシブ方式及びインタレース方式を同時に処理するすべての映像処理システムに適用可能である。
【００１６】
階層映像処理システムは、原映像を低解像度映像及び高解像度映像に出力するシステムであり、低解像度映像は、プログレッシブ方式でスキャンされることができ、他方、高解像度映像は、インタレース方式でスキャンされることができる。したがって、階層映像処理システムに適用される場合に、本実施形態は、プログレッシブ映像に関連した低解像度映像をインタレース映像に関連した高解像度映像に変換することができる。
【００１７】
図１は、本発明の実施形態による階層映像処理システムの概略的なアーキテクチャを示す図である。図１での階層映像処理システムは、階層エンコーディング装置１００及び階層デコーディング装置１５０を含む。ここで、インタレース映像は、原映像として階層映像処理システムに入力される。
【００１８】
原映像が入力シーケンス又は入力映像として階層映像処理システムに入力される場合に、フォーマットダウン変換ユニット１０１は、入力された原映像を低解像度映像に変換するために、プログレッシブ方式を用いてこの入力された原映像をダウン変換した後に、このダウン変換されたシーケンス又は映像をコーデック１０３に出力する。この際に、このダウン変換されたシーケンスは、プログレッシブ映像に関連した低解像度映像である。
【００１９】
コーデック１０３は、このプログレッシブ映像に関連した低解像度映像をコーディングすることによりプログレッシブ映像に関連したビットストリームを生成する。このプログレッシブ映像に関連したビットストリームは、階層デコーディング装置１５０に出力される。また、コーデック１０３は、プログレッシブ映像に関連したコーディングされたビットストリームをデコーディングし、このデコーディングされたビットストリームを基本階層復元ユニット１０５に出力する。ここで、プログレッシブ映像に関連した低解像度映像は、基本階層に含まれ、コーデック１０３は、ＶＣ−１，Ｈ．２６４などを使用してもよい。
【００２０】
基本階層復元ユニット１０５は、所定の条件を用いてプログレッシブ映像に関連した低解像度映像に関連したデコーディングされたビットストリームを復元する。
【００２１】
フォーマットアップ変換ユニット１０７は、プログレッシブ映像に関連した低解像度映像を高解像度映像に変換するために、プログレッシブ映像に関連した復元されたビットストリームをインタレース方式を用いてアップ変換した後に、このアップ変換された基本階層シーケンス又は映像を減算ユニット１０９に出力する。この際に、このアップ変換された基本階層シーケンスは、インタレース映像に関連した高解像度映像である。すなわち、フォーマットアップ変換部１０７は、この復元されたプログレッシブ映像の解像度をこの原映像の解像度に一致させるための動作を実行する。
【００２２】
予め送信されたヘッダー情報に基づいて、フォーマットアップ変換ユニット１０７は、プログレッシブ映像に関連した復元された低解像度映像がインタレース映像に関連した高解像度映像のサイズより小さいことを確認した後に、プログレッシブ映像に関連した復元された低解像度映像を補間及びインタレース映像に関連した高解像度映像に変換する。
【００２３】
減算ユニット１０９は、この入力された原映像とこのインタレース映像に関連した高解像度映像間の残差を計算する。
【００２４】
残差マッピング／スケーリングユニット１１１は、８ビットにこの計算された残差のマッピング及びスケーリングを実行する。残差エンコーダ１１３は、残差マッピング／スケーリングユニット１１１から提供されたビットをエンコーディングし、拡張階層ビットストリームを階層デコーディング装置１５０に出力する。
【００２５】
階層デコーディング装置１５０において、基本階層デコーダ１５１は、プログレッシブ映像に関連した低解像度映像に関連したビットストリームをＶＣ−１，Ｈ．２６４などを用いてデコーディングし、プログレッシブ映像に関連した復元された低解像度映像をフォーマットアップ変換ユニット１５３に出力し、プログレッシブ映像に関連したこの復元された低解像度映像を画面(図示せず)に出力する。
【００２６】
階層デコーディング装置１５０において、残差デコーダ１５５は、この受信された拡張階層ビットストリームからこの入力された原映像とこのインタレース映像に関連した高解像度映像間の残差をデコーディングする。
【００２７】
フォーマットアップ変換ユニット１５３は、プログレッシブ映像に関連したこの復元された低解像度映像をアップ変換した後に、インタレース映像に関連した高解像度映像を加算ユニット１５９に出力する。この際に、フォーマットアップ変換ユニット１５３は、フォーマットアップ変換ユニット１０７と同様に、予め送信されたヘッダー情報に基づいて、プログレッシブ映像に関連したこの復元された低解像度映像がインタレース映像に関連した高解像度映像のサイズより小さいことを確認した後に、プログレッシブ映像に関連したこの復元された低解像度映像を補間及びインタレース映像に関連した高解像度映像に変換する。
【００２８】
残差マッピング／スケーリングユニット１５７は、元来のビット深さでこのデコーディングされた残差のマッピング及びスケーリングを実行し、フォーマットアップ変換ユニット１５３から提供されたインタレース映像に関連した高解像度映像を補正するための残差を加算ユニット１５９に出力する。
【００２９】
加算ユニット１５９は、このインタレース映像をこのインタレース映像を補正するための残差に加算し、この復元されたインタレース映像を画面(図示せず)に出力する。ここで、この復元されたインタレース映像は、拡張階層に含まれる。
【００３０】
上述した階層映像処理システムと同様に、プログレッシブ映像に関連した低解像度映像及びインタレース映像に関連した高解像度映像を画面に出力するためには、フォーマットアップ変換ユニット１０７及び１５３は、プログレッシブ映像に関連した低解像度映像をインタレース映像に関連した高解像度映像に変換するための映像変換を実行しなければならない。
【００３１】
階層映像処理システムにおいて、階層エンコーディング装置１００は、原映像とプログレッシブ映像に関連した低解像度映像から変換されたインタレース映像に関連した高解像度映像間の残差をエンコーディングし、このエンコーディングされた残差を拡張階層ビットストリームに出力する。この場合に、この原映像とこのインタレース映像に関連した高解像度映像間の残差である残像の画素値が小さいほど、エンコーディングの間に残差を小さくすることができる。
【００３２】
そこで、本発明の実施形態による階層映像処理システムでのプログレッシブ映像からインタレース映像への映像変換を実行するフォーマットアップ変換ユニット１０７及び１５３で残像の画素値を最小化することができる映像変換装置及び方法を提案する。
【００３３】
図２は、本発明の実施形態による映像変換装置の簡略的な構成を示す図である。図２を参照すると、映像変換装置は、制御部２１０とプログレッシブ映像をインタレース映像に変換する変換部２５０とを含む。
【００３４】
制御部２１０は、原映像の特性を考慮してプログレッシブ映像をインタレース映像に変換するために使用されるフレームの個数を決定し、この決定されたフレームの個数を変換部２５０に出力する。ここで、前記原映像の特性は、動き及び複雑さの中の少なくとも１つを含む。例えば、原映像が小さな動きを有するか又は単純な場合に、制御部２１０は、プログレッシブ映像をインタレース映像に変換する際に１つのプログレッシブ映像を使用することを決定する。しかしながら、原映像が大きな動きを有するか又は複雑な場合に、制御部２１０は、プログレッシブ映像をインタレース映像に変換する際に２つのプログレッシブ映像を使用することを決定する。
【００３５】
変換部２５０は、制御部２１０で決定されたフレームの個数に従ってプログレッシブ映像をインタレース映像に変換する。すなわち、変換部２５０は、図３乃至図６に示すような映像変換を実行する。
【００３６】
本発明の実施形態による映像変換装置が階層映像処理システムに含まれる場合に関する例を図３乃至図７に示す。
【００３７】
図３は、本発明の実施形態による変換部２５０でインタレース方式に基づいて１つのプログレッシブ映像を用いて映像を変換する装置の簡略的な構成を示す図である。図３を参照すると、変換部２５０は、第１の生成器３１０と第２の生成器３３０とを含む。ここで、第１の生成器３１０及び第２の生成器３３０は、１つの装置で構成されることができる。
【００３８】
制御部２１０で決定されたフレームの数が1つである場合に、変換部２５０は、第１の生成器３１０及び第２の生成器３３０により低解像度フレーム３０１に対応するプログレッシブ映像を高解像度トップフィールド３０３及びボトムフィールド３０５に対応するインタレース映像に変換する。
【００３９】
変換部２５０を詳細に説明する。予め送信されたヘッダー情報に基づいて、第１の生成器３１０及び第２の生成器３３０は、低解像度フレーム３０１に対応するプログレッシブ映像のサイズが高解像度トップフィールド３０３及びボトムフィールド３０５に対応するインタレース映像のサイズより小さいことを確認した後に、低解像度フレーム３０１に対応するプログレッシブ映像に対して補間を実行することにより補間映像を生成する。この際に、この補間映像のサイズは、高解像度トップフィールド３０３及びボトムフィールド３０５に対応するインタレース映像のサイズと同一であるか又は異なり得る。
【００４０】
第１の生成器３１０は、低解像度フレーム３０１を補間し、この補間映像を用いて高解像度トップフィールド３０３に対応するインタレース映像を生成する。第２の生成器３３０は、低解像度フレーム３０１を補間し、この補間映像を用いて高解像度ボトムフィールド３０５に対応するインタレース映像を生成する。すなわち、第１の生成器３１０及び前記第２の生成器３３０は、低解像度フレーム３０１に対応するプログレッシブ映像をインタレース映像に変換することにより高解像度トップフィールド３０３及びボトムフィールド３０５に対応するインタレース映像を生成する。
【００４１】
この際に、低解像度フレーム３０１及び高解像度トップフィールド３０３は、同一の時間Ｔ１に対応し、高解像度ボトムフィールド３０５は、低解像度フレーム３０１のＴ１と次に受信される低解像度フレームのＴ２との間のＴ１’に対応する。ここで、Ｔは、ディスプレー時間を示す。図３とは異なり、低解像度フレーム３０１及び高解像度ボトムフィールド３０５は、同一の時間Ｔ１に対応し、高解像度トップフィールド３０３は、低解像度フレーム３０１のＴ１と次に受信される低解像度フレームのＴ２との間のＴ１’に対応することもある。
【００４２】
すなわち、図４に示すように、本発明の実施形態による変換部２５０は、１つのプログレッシブ映像を用いて映像を変換することができる。図４を参照すると、２０＊２０のサイズを有する低解像度フレーム３０７に対応するプログレッシブ映像が変換部２５０に入力される場合に、第１の生成器３１０及び第２の生成器３３０は、低解像度フレーム３０７に対応するプログレッシブ映像を用いて４０＊８０のサイズを有する補間映像３０９を生成する。ここで、補間映像３０９は、プログレッシブ映像でもなくインタレース映像でもないことを特徴とする。
【００４３】
第１の生成器３１０は、補間映像３０９を用いて高解像度トップフィールド３１１に対応する４０＊８０のサイズを有するインタレース映像を生成し、第２の生成器３３０は、補間映像３０９を用いて高解像度ボトムフィールド３１３に対応する４０＊８０のサイズを有するインタレース映像を生成する。すなわち、例えば、第１の生成器３１０は、補間映像３０９をコピーするか又はフィルタリングすることにより、高解像度トップフィールド３１１に対応する４０＊８０のサイズを有するインタレース映像を生成し、第２の生成器３３０は、補間映像３０９をフィルタリングすることにより高解像度ボトムフィールド３１３に対応する４０＊８０のサイズを有するインタレース映像を生成する。
【００４４】
この際に、低解像度フレーム３０７及び高解像度トップフィールド３１１は、同一の時間Ｔ１に対応し、高解像度ボトムフィールド３１３は、低解像度フレーム３０７のＴ１と次に受信される低解像度フレームのＴ２との間のＴ１’に対応する。
【００４５】
図５は、本発明の実施形態による変換部２５０でインタレース方式に基づいて２つのプログレッシブ映像を用いて映像を変換する装置の簡略的な構成を示す図である。図５を参照すると、変換部２５０は、第１の生成器４１０と第２の生成器４３０とを含む。ここで、第１の生成器４１０及び第２の生成器４３０は、１つの装置で構成されることができる。
【００４６】
制御部２１０で決定されたフレームの数が２つである場合に、第１の生成器４１０及び第２の生成器４３０は、第１及び第２の低解像度フレーム４０１及び４０３に対応するプログレッシブ映像を高解像度フィールド４０５、４０７、及び４０９に対応するインタレース映像に変換する。
【００４７】
変換部２５０を詳細に説明する。第１の生成器４１０及び第２の生成器４３０は、予め送信されたヘッダー情報に基づいて、第１及び第２の低解像度フレーム４０１及び４０３に対応するプログレッシブ映像のサイズが高解像度フィールド４０５、４０７、及び４０９に対応するインタレース映像のサイズより小さいことを確認した後に、第１及び第２の低解像度フレーム４０１及び４０３に対応するプログレッシブ映像に対して補間をそれぞれ実行することにより補間映像を生成する。この際に、この補間映像のサイズは、高解像度フィールド４０５、４０７、及び４０９に対応するインタレース映像のサイズと同一であるか又は異なり得る。
【００４８】
第１の生成器４１０は、第１の低解像度フレーム４０１を補間し、第１の低解像度フレーム４０１に対応するプログレッシブ映像に対する補間映像を用いて第１の高解像度トップフィールド４０５に対応するインタレース映像を生成する。また、第１の生成器４１０は、第２の低解像度フレーム４０３を補間し、第２の低解像度フレーム４０３に対応するプログレッシブ映像に対する補間映像を用いて第２の高解像度トップフィールド４０９に対応するインタレース映像を生成する。
【００４９】
第２の生成器４３０は、第１の低解像度フレーム４０１に対応するプログレッシブ映像に対する補間映像と第２の低解像度フレーム４０３に対応するプログレッシブ映像に対する補間映像とを同時に考慮して高解像度ボトムフィールド４０７に対応するインタレース映像を生成する。この際に、第１の高解像度トップフィールド４０５に対応するインタレース映像及び第１の低解像度フレーム４０１に対応するプログレッシブ映像は、同一の時間Ｔ１に対応し、第２の高解像度トップフィールド４０９に対応するインタレース映像及び第２の低解像度フレーム４０３に対応するプログレッシブ映像は、同一の時間Ｔ２に対応し、高解像度ボトムフィールド４０７に対応するインタレース映像は、第１の低解像度フレーム４０１に対応するプログレッシブ映像のＴ１と第２の低解像度フレーム４０３に対応するプログレッシブ映像のＴ２との間の時間Ｔ１’に対応する。
【００５０】
図５に示すものとは異なり、第１の高解像度トップフィールド４０５に対応するインタレース映像及び第１の低解像度フレーム４０１に対応するプログレッシブ映像は、同一の時間Ｔ１に対応し、高解像度ボトムフィールド４０７に対応するインタレース映像及び第２の低解像度フレーム４０３に対応するプログレッシブ映像は、同一の時間Ｔ２に対応し、第２の高解像度トップフィールド４０９に対応するインタレース映像は、第１の低解像度フレーム４０１に対応するプログレッシブ映像のＴ１と第２の低解像度フレーム４０３に対応するプログレッシブ映像のＴ２との間のＴ１’に対応することができる。
【００５１】
したがって、本発明の実施形態による第１の生成器４１０及び第２の生成器４３０は、第１及び第２の低解像度フレーム４０１及び４０３に対応するプログレッシブ映像をすべて考慮して高解像度ボトムフィールド４２１に対応するインタレース映像を生成することにより、原映像の特性(例えば、動き）を効率的に表現することができる。
【００５２】
また、第１の生成器４１０及び第２の生成器４３０は、プログレッシブ映像に対して補間及びインタレース映像への変換を同時に実行することにより、残像の画素値を最小にすることができ、したがって、映像処理システムの圧縮効率を増加させることができる。
【００５３】
図６は、図５に示した装置で２つのプログレッシブ映像を用いて映像を変換する方式の一例を示す。図６を参照すると、２０＊２０のサイズを有する低解像度フレーム４１１及び４１３に対応するプログレッシブ映像が変換部２５０に入力される場合に、第１の生成器４１０及び第２の生成器４３０は、低解像度フレーム４１１に対応するプログレッシブ映像に対する４０＊８０のサイズを有する補間映像４１５及び低解像度フレーム４１３に対応するプログレッシブ映像に対する４０＊８０のサイズを有する補間映像４１７をそれぞれ生成する。また、第１の生成器４１０は、補間映像４１５を用いて高解像度トップフィールド４１９に対応する４０＊８０のサイズを有するインタレース映像を生成し、補間映像４１７を用いて高解像度トップフィールド４２３に対応する４０＊８０のサイズを有するインタレース映像を生成する。第２の生成器４３０は、補間映像４１５及び４１７を用いて高解像度ボトムフィールド４２１に対応する４０＊８０のサイズを有するインタレース映像を生成する。
【００５４】
すなわち、例えば、第１の生成器４１０は、補間映像４１５をコピーするか又はフィルタリングすることにより、高解像度トップフィールド４１９に対応する４０＊８０のサイズを有するインタレース映像を生成し、補間映像４１７をコピーするか又はフィルタリングすることにより高解像度トップフィールド４２３に対応する４０＊８０のサイズを有するインタレース映像を生成する。第２の生成器４３０は、補間映像４１５及び４１７をフィルタリングすることにより、高解像度ボトムフィールド４２１に対応する４０＊８０のサイズを有するインタレース映像を生成する。
【００５５】
この際に、低解像度フレーム４１１及び高解像度トップフィールド４１９は、同一の時間Ｔ１に対応し、低解像度フレーム４１３及び高解像度トップフィールド４２３は、同一の時間Ｔ２に対応し、高解像度ボトムフィールド４２１は、低解像度フレーム４１１のＴ１と低解像度フレーム４１３のＴ２との間のＴ１’に対応する。
【００５６】
図７は、本発明の実施形態による映像を変換する方法を示す図である。図７を参照すると、プログレッシブ映像が動作５０１で受信される場合に、制御部２１０は、動作５０３で、原映像の特性を考慮してプログレッシブ映像をインタレース映像に変換するために使用されるフレームの数を決定する。例えば、動作５０３で、原映像が小さな動きを有するか又は単純な場合に、制御部２１０は、プログレッシブ映像をインタレース映像に変換する際にプログレッシブ映像に関連した１つの低解像度フレームを使用することを決定する。しかしながら、原映像が大きな動きを有するか又は複雑な場合に、制御部２１０は、プログレッシブ映像をインタレース映像に変換する際にプログレッシブ映像に関連した２つの低解像度フレームを使用することを決定する。
【００５７】
動作５０５で、変換部２５０は、この決定されたフレームの数の各々に対応するプログレッシブ映像を複数のフィールドに対応するインタレース映像に変換する。このようにプログレッシブ映像をインタレース映像に変換する工程は、図３乃至図６を参照して説明した。
【００５８】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきである。
【図１】
0005449398.tif 000002
【図２】
0005449398.tif 000003
【図３】
0005449398.tif 000004
【図４】
0005449398.tif 000005
【図５】
0005449398.tif 000006
【図６】
0005449398.tif 000007
【図７】
0005449398.tif 000008